(57)【要約】【課題】看板型照明装置の明るさ等の特性を適正に設定する。【解決手段】ＬＥＤバックライト（８）の設定値を受け付けるユーザＩ/Ｆ（２）と、ＬＥＤバックライト（８）を上記設定値に基づいて制御する制御部（４）と、を備え、制御部（４）は、上記設定値をＬＥＤバックライト（８）を介して外部に示すため、上記設定値に応じて、ＬＥＤバックライト（８）に備えられたＬＥＤ素子の少なくとも一つを所定のパターンで点滅させる。【選択図】図１
2014192058.tif 000002
【特許請求の範囲】
【請求項１】
表示物に光を照射する光照射部と、この光照射部の設定値を受け付ける設定値受付部と、上記設定値に基づいて上記光照射部を制御する制御部とを備えた看板照明装置であって、
上記制御部は、光照射部に含まれる１つ以上の発光素子を、設定値発信期間に、上記設定値に応じたパターンで点滅させることによって、上記設定値を上記光照射部を介して外部に示すことを特徴とする看板照明装置。
【請求項２】
上記制御部は、上記設定値に応じたパルス幅変調信号に基づいて光照射部を制御し、
上記設定値発信期間での上記発光素子の点灯期間が、上記パルス幅変調信号の一周期に等しいことを特徴とする請求項１記載の看板照明装置。
【請求項３】
上記設定値発信期間での上記発光素子の点灯期間が、目視にて認識可能な長さであることを特徴とする請求項１記載の看板照明装置。
【請求項４】
上記制御部は、上記発光素子を、上記設定値に応じたパターンで点滅させる前に、発信開始を示すパターンで点滅させ、上記設定値に応じたパターンで点滅させた後に、発信終了を示すパターンで点滅させることを特徴とする請求項１に記載の看板照明装置。
【請求項５】
上記発光素子は可視光または赤外線光を発することを特徴とする請求項１記載の看板照明装置。
【発明の詳細な説明】
【技術分野】
【０００１】
本発明は、看板型照明装置に関する。
【背景技術】
【０００２】
ポスターなどをその背面から照らす看板型照明装置が提案されている。この看板型照明装置には一般的に明るさなどの設定値を表示する手段がなく、明るさ等の設定は、調整手段を手動で操作しながら目視により行っている。なお、特許文献１には、誘導灯の明るさをセンサによって検知し、その検知結果に応じて発光素子を駆動することで、誘導灯の明るさが基準値を下回らないようにする技術が開示されている。（特許文献１参照）。
【先行技術文献】
【特許文献】
【０００３】
【特許文献１】日本国公開特許公報「特開２０１１−２９０３３号」公報（２０１１年２月１０日公開）
【発明の概要】
【発明が解決しようとする課題】
【０００４】
上記のように目視により明るさなどの設定を行う場合、目視ゆえの曖昧さが避けられず、例えば複数の看板型照明装置の明るさを精度よく均一化することが難しい。また、特許文献１のようなセンサを設けても、看板型照明装置は外光（環境光）の影響を受けることが多く、適正な設定ができないおそれがある。
【０００５】
本発明の目的は、看板型照明装置の明るさなどの特性を適正に設定することである。
【課題を解決するための手段】
【０００６】
本発明の看板照明装置は、表示物に光を照射する光照射部と、この光照射部の設定値を受け付ける設定値受付部と、上記設定値に基づいて上記光照射部を制御する制御部とを備えた看板照明装置であって、上記制御部は、光照射部に含まれる１つ以上の発光素子を、設定値発信期間に、上記設定値に応じたパターンで点滅させることによって、上記設定値を上記光照射部を介して外部に示すことを特徴とする。
【０００７】
上記構成によれば、上記看板照明装置に備えられた制御部によって、上記設定値を上記光照射部を介して外部に示すようになっている。
【０００８】
したがって、上記設定値を外部に示すための別途の表示部を設ける必要がない。また、上記看板照明装置の背面などに設けた端子を経由して上記設定値を取得する必要がないので、上記端子にアプローチするために、上記看板照明装置の分解など大掛りな工事を要しない。
【０００９】
よって、上記構成によれば、追加構成や大掛りな工事などを必要とせず、上記光照射部の設定値を定量的に管理できる看板照明装置を実現することができる。
【００１０】
また、上記構成によれば、上記光照射部の設定値を定量的に管理できるので、上記光照射部の設定値と上記光照射部の動作状態との対応を容易に取ることができる。
【００１１】
したがって、看板照明装置が複数個存在する場合などにおいて、一括管理が容易になるとともに、各々の看板照明装置の特性のばらつきや経年劣化などの管理が容易となる。
【００１２】
また、上記構成によれば、上記光照射部の設定値と上記光照射部の動作状態との定量的な確認をほぼ同時に行うことができるとともに、上記看板照明装置から比較的遠く離れた箇所でも上記光照射部の設定値の確認を行うことができる。
【発明の効果】
【００１３】
本発明の一態様によれば、看板型照明装置の明るさなどの特性を適正に設定することができる。
【図面の簡単な説明】
【００１４】
【図１】実施の形態１の看板型照明装置を示すブロック図である。
【図２】図１の看板型照明装置の動作を示すフローチャートである。
【図３】図１の看板型照明装置に用いられるＬＥＤ素子の駆動信号の一例を示す図である。
【図４】図３における変調信号に基づくＬＥＤ素子の駆動信号の一例を示す図である。
【図５】図１の看板型照明装置と設定値受信治具とを示す模式図である。
【図６】実施の形態２で用いる変調信号に基づくＬＥＤ素子の駆動信号の一例を示す図である。
【図７】実施の形態２の看板型照明装置を示す模式図である。
【図８】実施の形態３の看板型照明装置を示すブロック図である。
【図９】図８の看板型照明装置における可視光ＬＥＤ素子の駆動信号と赤外線ＬＥＤ素子の駆動信号とのタイミングを示す図である。
【図１０】従来の看板型照明装置を示すブロック図である。
【図１１】図１０の看板型照明装置で用いられるＬＥＤ素子の駆動信号の一例を示す図である。
【発明を実施するための形態】
【００１５】
以下、図面に基づいて本発明の実施の形態について詳しく説明する。ただし、この実施の形態に記載されている構成部品の寸法、材質、形状、その相対配置などはあくまで一実施形態に過ぎず、これらによってこの発明の範囲が限定解釈されるべきではない。
【００１６】
本発明の実施の形態を図１〜図１１に基づいて説明すれば以下のとおりである。
【００１７】
[実施の形態１]
以下、図１から図５と、図１０および１１に基づいて、本実施の形態について説明する。
【００１８】
図１は、看板型照明装置１を示すブロック図である。
【００１９】
看板型照明装置１は、図１に示すように、ユーザによって調整された明るさなどに関する設定値の入力を受け付けるユーザインターフェース（設定値受付部）２と、電源回路３と、上記設定値に基づいてＬＥＤバックライト８を制御するとともに、上記設定値をＬＥＤバックライト８を介して外部に示すため、上記設定値に応じてＬＥＤバックライト８の少なくとも一部を所定のパターンで点滅させる制御部４と、メモリ６と、ＬＥＤバックライト８と、を備えている。
【００２０】
ユーザインターフェース２には、ＬＥＤバックライト８の例えば、明るさや色温度などの設定値を調整できる調整部として、調整ダイアル９および調整キースイッチ１０が備えられており、さらに、リモコンにより、明るさや色温度などの設定値を調整する場合を考慮し、リモコン受信部１１も備えている。
【００２１】
したがって、ユーザによって、調整ダイアル９、調整キースイッチ１０およびリモコンの何れかで調整された明るさなどに関する設定値は、ユーザインターフェース（設定値受付部）２に入力値として受け付けられる。
【００２２】
本実施の形態においては、ユーザの便宜性を向上させるため、設定値の調整部として、ユーザインターフェース２が調整ダイアル９、調整キースイッチ１０およびリモコン受信部１１の何れも備えている場合について説明したが、これに限定されることはなく、この中の少なくとも一つを備えていればよい。
【００２３】
また、ユーザインターフェース２やリモコンには、必要に応じて、例えば、看板型照明装置１の電源スイッチなどを備えられていてもよい。
【００２４】
電源回路３は、制御部４に備えられたプロセッサ（ＣＰＵ）５およびバックライトドライバ７と、看板型照明装置１に備えられたその他の各部に電源を供給する。
【００２５】
そして、プロセッサ５は、ユーザによる上述した設定値の調整部の操作開始を検出すると、新たに調整されたＬＥＤバックライト８の設定値に対応する、例えば、ＬＥＤバックライト８に備えられたＬＥＤ素子に流す電流の実効値（電流の時間的積分値）をメモリ６から読み出し、バックライトドライバ７を制御する。
【００２６】
それから、ＬＥＤバックライト８には、図示してないが、ＬＥＤ素子と、導光板と、各種光学部材とが備えられている。
【００２７】
ユーザは、上記設定値の調整部を操作しながら、ＬＥＤバックライト８の上記設定値に関する状態（例えば、明るさなど）を確認し、所望の状態になれば操作を中止する。それから、プロセッサ５がユーザによる上記設定値の調整部の操作終了を検出すると、ＬＥＤバックライト８の最終設定値に対応する、ＬＥＤバックライト８に備えられたＬＥＤ素子に流す電流の実効値（電流の時間的積分値）をメモリ６から読み出し、バックライトドライバ７を制御する。
【００２８】
ここまでに説明した看板型照明装置１の作用は、図１０に示す従来の看板型照明装置１００と同様であり、看板型照明装置１００に備えられたプロセッサ１０４からバックライトドライバ１０６に供給されるバックライト制御信号に基づいて、バックライトドライバ１０６で生成されたＬＥＤバックライト１０７に備えられたＬＥＤ素子の駆動信号は、図１１に示すように、ユーザによって設定された設定値に関する調光制御信号となる。
【００２９】
さらに具体的に説明すると、例えば、ユーザがＬＥＤバックライト１０７の明るさを所定の設定値に設定すると、ＬＥＤ素子の駆動信号は、上記明るさの設定値に応じて、パルス幅変調（Ｐｕｌｓｅ  Ｗｉｄｔｈ  Ｍｏｄｕｌａｔｉｏｎ）方式によって上記ＬＥＤ素子の電灯期間（Ｔｏｎ）と消灯期間（Ｔｏｆｆ）との比が制御された信号となる。
【００３０】
なお、図１１において、電灯期間（Ｔｏｎ）と消灯期間（Ｔｏｆｆ）とを合わせたＴは一定であり、発振周波数ｆ＝１/Ｔは、数１００Ｈｚ〜数ｋＨｚである。
【００３１】
以下では、図１から図６に基づいて、看板型照明装置１の特有な作用について説明する。
【００３２】
図１に図示されているように、プロセッサ５は、ＬＥＤバックライト８の最終設定値に応じた変調信号を生成し、この変調信号をバックライトドライバ７に送る。
【００３３】
したがって、バックライトドライバ７は、バックライト制御信号と、上記最終設定値の値をＬＥＤバックライト８を介して外部に示すための変調信号とに基づいてＬＥＤ素子駆動信号を生成し、ＬＥＤバックライト８に備えられたＬＥＤ素子を駆動する。
【００３４】
以上のように、本実施の形態においては、プロセッサ５が、バックライト制御信号および変調信号を生成し、バックライトドライバ７は、バックライト制御信号と、変調信号とに基づいてＬＥＤ素子駆動信号を生成する場合について説明するが、これに限定されず、プロセッサ５が、バックライト制御信号と、変調信号とに基づいてＬＥＤ素子駆動信号を生成するようにしてもよい。
【００３５】
図２は、プロセッサ５の動作を示すフローチャートである。
【００３６】
図示されているように、スタートステップ（Ｓ１）を経て、先ず、プロセッサ５が設定値の遷移を検出したかを確認するステップ（Ｓ２）に移り、このステップ（Ｓ２）において、設定値の遷移を検出できない場合には、スタートステップ（Ｓ１）に戻り、設定値の遷移を検出できる場合には、プロセッサ５が設定値の安定を検出したかを確認するステップ（Ｓ３）に移る。
【００３７】
なお、プロセッサ５による設定値の安定の確認は、例えば、所定期間の間、設定値に変更がないことで確認することができる。
【００３８】
このステップ（Ｓ３）において、設定値の安定を検出できない場合には、更新された設定値に従ってバックライトドライバを制御する（バックライトドライバ７にバックライト制御信号を送る）ステップ（Ｓ４）に移る。
【００３９】
なお、ステップ（Ｓ４）には、ＬＥＤ素子に流す電流の実効値をメモリ６から読み出すステップは含まれているものとする。
【００４０】
一方、このステップ（Ｓ３）において、設定値の安定を検出できた場合には、安定を検出した設定値に従ってバックライトドライバを制御する（バックライトドライバ７にバックライト制御信号を送る）ステップ（Ｓ５）に移る。
【００４１】
なお、ステップ（Ｓ５）においても、ＬＥＤ素子に流す電流の実効値をメモリ６から読み出すステップは含まれているものとする。
【００４２】
それから、安定を検出した設定値は何の設定値かを判定するステップ（Ｓ６）に移り、その後、該当する設定値の値を外部に示すための電流の実効値をメモリ６から読み出すステップ（Ｓ７）に移る。
【００４３】
最後に、該当する設定値の値をＬＥＤバックライト８を介して、外部に示すためバックライトドライバ７を制御する（バックライトドライバ７に変調信号を送る）ステップ（Ｓ８）に移る。
【００４４】
それから、このステップ（Ｓ８）後には、再び、スタートステップ（Ｓ１）に戻るようになっている。
【００４５】
以上のように、看板型照明装置１に備えられたプロセッサ５においては、従来の看板型照明装置１００に備えられたプロセッサ１０４とは異なり、バックライト制御信号のみでなく、上記最終設定値の値をＬＥＤバックライト８を介して外部に示すための変調信号もバックライトドライバ７に送るようになっている。
【００４６】
図３は、バックライトドライバ７から出力されるＬＥＤバックライト８に備えられたＬＥＤ素子を制御するためのＬＥＤ素子駆動信号の一例を示す図である。
【００４７】
図示されているように、看板型照明装置１に備えられたバックライトドライバ７から出力されるＬＥＤ素子駆動信号は、バックライト制御信号に基づく部分と変調信号に基づく部分とが重畳された信号となっている。
【００４８】
バックライト制御信号に基づく部分は、図１１に示した従来のＬＥＤ素子の駆動信号と同様の部分であり、ユーザが調整した設定値にＬＥＤバックライト８の特性を合わせるための信号である。
【００４９】
一方、変調信号に基づく部分は、上記最終設定値の値をＬＥＤバックライト８を介して外部に示すためＬＥＤバックライト８を点滅させるための信号である。
【００５０】
なお、上記変調信号に基づく部分は、変調信号の送信の開始を示す送信開始信号と、変調信号の送信の終了を示す送信終了信号と、を含んでいることが好ましい。
【００５１】
一般的に、ＬＥＤバックライト８に備えられたＬＥＤ素子の制御は、比較的発振周波数が大きいパルスのパルス幅変調方式によって電灯期間と消灯期間との比を制御することによって行われるため、看板照明装置１を見ている人に、ＬＥＤバックライト８が点滅しているように認識させず、輝度変化のみを認識させながら上記設定値をＬＥＤバックライト８を介して外部に示す看板照明装置１を実現することができる。
【００５２】
このような場合、設定値受信治具などを用いる必要が生じるが、上記送信開始信号と、上記送信終了信号と、を含むことにより、設定値受信治具に、変調信号に基づくＬＥＤバックライト８の点滅であることを検知させることができる。
【００５３】
なお、図３に図示されているように、上記変調信号に基づく部分の信号には、上記送信開始信号と上記送信終了信号との間に、論理０と論理１の組み合わせで設定値の値を表現する信号部分が存在する。
【００５４】
論理０と論理１の組み合わせで設定値の値を表現する信号部分には、設定値の種類（例えば、明るさ、色温度など）に関する信号が含まれていることが好ましい。
【００５５】
このようにすることにより、設定値受信治具が、変調信号に基づくＬＥＤバックライト８の点滅がどのような設定値に関するものであるか検知することができる。
【００５６】
図４は、送信開示信号、論理０の信号、論理１の信号および送信終了信号の一例を示す図である。
【００５７】
図４（ａ）は、送信開示信号の一例を示し、１０Ｔ（１０〜１００msec）程度の期間、High（１００％）を維持させた後、１０Ｔ（１０〜１００msec）程度の期間、low（０％）を維持させた信号を送信開示信号とすることができる。
【００５８】
図４（ｂ）は、論理０の信号の一例を示し、１Ｔ期間、High（１００％）を維持させた後、３Ｔ期間、low（０％）を維持させた信号を論理０の信号とすることができる。
【００５９】
図４（ｃ）は、論理１の信号の一例を示し、１Ｔ期間、High（１００％）を維持させた後、１Ｔ期間、low（０％）を維持させ、再び、１Ｔ期間、High（１００％）を維持させた後、３Ｔ期間、low（０％）を維持させた信号を論理１の信号とすることができる。
【００６０】
図４（ｄ）は、送信終了信号の一例を示し、１０Ｔ（１０〜１００msec）程度の期間、low（０％）を維持させた後、１０Ｔ（１０〜１００msec）程度の期間、High（１００％）を維持させた信号を送信終了信号とすることができる。
【００６１】
図４に示す送信開示信号、論理０の信号、論理１の信号および送信終了信号は一例に過ぎず、これらの信号は適宜設定できるのは勿論である。
【００６２】
以上のように、本実施の形態においては、看板型照明装置１に備えられたバックライトドライバ７から出力されるＬＥＤ素子駆動信号における、バックライト制御信号に基づく部分と変調信号に基づく部分との周波数は共通化されている。
【００６３】
すなわち、図３における１Ｔの期間と、図４における１Ｔの期間は同じ長さになっている。
【００６４】
図５は、図１の看板型照明装置と設定値受信治具とを示す模式図である。
【００６５】
図示されているように、看板型照明装置１には、表示物（例えば、ポスターなど）１６が備えられており、視認側から、透明カーバー板（図示せず）と、表示物１６と、ＬＥＤバックライト８とが順に配置された構成となっている。
【００６６】
一方、ユーザは、受光装置３１および情報処理装置３２（例えば、モバイルパソコンやモバイルフォン）を備えた設定値受信治具３０によって、図３に図示されている上記変調信号に基づく部分の信号を復調することで最終設定値を認識することができる。
【００６７】
なお、情報処理装置３２においては、受信データの蓄積・解析、看板型照明装置１の再帰的制御などを行うことができ、看板型照明装置１が複数個ある場合には、複数の看板型照明装置のデータの統計的解析などを行うことができる。
【００６８】
また、受光装置３１がＬＥＤバックライト８の例えば、明るさなども検知できるようにし、情報処理装置３２において、検知された明るさと明るさの設定値とを比較し、経年劣化による明るさの低下などを把握し、設定値受信治具３０から新たな設定値を看板型照明装置１に送信するような構成とすることもできる。
【００６９】
このように、看板型照明装置１によれば、ユーザによる調整後の明るさなどの設定値をユーザが正確に把握できる。したがって、複数の看板型照明装置について同様の工程を行えば、看板型照明装置毎の設定値を所望のレベルに均一化することも容易となる。
【００７０】
なお、本実施の形態においては、電流値そのものは変えずに電流のＯＮ・ＯＦＦの時間的割合（ｄｕｔｙ比）を変えるパルス幅変調（Ｐｕｌｓｅ  Ｗｉｄｔｈ  Ｍｏｄｕｌａｔｉｏｎ）を用いたＬＥＤ素子の駆動方式についてのみ説明しているが、これに限定されることはなく、ＬＥＤ素子の駆動方式は電流を常時ＯＮとして電流値自体を変化させてもよい。
【００７１】
また、看板型照明装置１に備えられているＬＥＤバックライト８は、ＬＥＤ素子がエッジ部分に配置されているいわゆるエッジライト型であるが、これに限定されることはなく、直下型などであってもよい。
【００７２】
また、看板型照明装置１に備えられているＬＥＤバックライト８は、一つのバックライトドライバ７に全てのＬＥＤ素子が電気的に接続されているものであるが、これに限定されず、複数のバックライトドライバを備え、各バックライトドライバに所定部分のＬＥＤ素子のみが電気的に接続されている構成（いわゆるローカルディミング構成）ものを用いることもできる。このような構成の場合には、一部のバックライトドライバのみに変調信号を送るような構成としてもよい。
【００７３】
〔実施の形態２〕
次に、図６および図７に基づいて、本発明の実施の形態２について説明する。本実施の形態の看板型照明装置１ａにおいては、最終設定値の値をＬＥＤバックライトを介して外部に示すためＬＥＤバックライトを点滅させるための信号が、モールス信号に準拠しており、ユーザがこの点滅パターンを目視することで、最終設定値を認識することができるという点において、上記の実施形態１とは異なる。その他の構成については実施形態１において説明したとおりである。説明の便宜上、上記の実施形態１の図面に示した部材と同じ機能を有する部材については、同じ符号を付し、その説明を省略する。
【００７４】
図６は、本実施の形態の看板型照明装置において用いられるＬＥＤ素子の駆動信号中、最終設定値の値をＬＥＤバックライトを介して外部に示すためＬＥＤバックライトを点滅させるための信号部分の一例を示す図である。
【００７５】
図示されているように、最終設定値の値をＬＥＤバックライトを介して外部に示すためＬＥＤバックライトを点滅させるための信号部分が、モールス信号に準拠している。
【００７６】
したがって、図６に図示されているような所定の数字を表現する信号を用いて、ＬＥＤバックライトを点滅させることにより、ユーザがこの点滅パターンを目視することで、最終設定値を認識することができる。
【００７７】
なお、本実施の形態においては、看板型照明装置１ａに備えられたバックライトドライバから出力されるＬＥＤ素子駆動信号における、バックライト制御信号に基づく部分と最終設定値の値をＬＥＤバックライトを介して外部に示すためＬＥＤバックライトを点滅させるための信号部分との周波数は共通化されてない。すなわち、最終設定値の値をＬＥＤバックライトを介して外部に示すためＬＥＤバックライトを点滅させるための信号部分の周波数が、バックライト制御信号に基づく部分の周波数より低く設定され、人の目によっても最終設定値を認識することができるようになっている。
【００７８】
図７は、本実施の形態の看板型照明装置１ａを示す模式図である。
【００７９】
図示されているように、看板型照明装置１ａの場合には、ユーザがＬＥＤバックライトの点滅パターンを目視することで、最終設定値を認識することができるので、図５に図示されているような受光装置３１および情報処理装置３２（例えば、モバイルパソコンやモバイルフォン）を備えた設定値受信治具３０を必ず必要としない。
【００８０】
〔実施の形態３〕
次に、図８および図９に基づいて、本発明の実施の形態３について説明する。本実施の形態の看板型照明装置２０のＬＥＤバックライト１５には、実施の形態１のＬＥＤバックライト８に備えられたＬＥＤ素子とともに赤外線ＬＥＤ素子が含まれている点において、上記の実施形態１および２とは異なる。その他の構成については実施形態１において説明したとおりである。説明の便宜上、上記の実施形態１の図面に示した部材と同じ機能を有する部材については、同じ符号を付し、その説明を省略する。
【００８１】
図８は、本実施の形態の看板型照明装置２０を示すブロック図である。
【００８２】
図示されているように、看板型照明装置２０に備えられたＬＥＤバックライト１５には、実施の形態１のＬＥＤバックライト８に備えられたユーザに認識できる波長領域（可視光領域）の光を発光するＬＥＤ素子とともに、ユーザに認識できない波長領域の光を発光する赤外線ＬＥＤ素子が含まれている。
【００８３】
そして、プロセッサ５が、バックライト制御信号および変調信号を生成し、バックライト制御信号は可視光領域の光を発光するＬＥＤ素子を駆動するＬＥＤドライバ１２に送り、変調信号は赤外線ＬＥＤ素子を駆動する赤外線ＬＥＤドライバ１３に送る。
【００８４】
このような構成であるため、可視光領域の光を発光するＬＥＤ素子と赤外線ＬＥＤ素子とを同タイミングで異なるように点滅させることができる。
【００８５】
図９は、看板型照明装置２０に用いることができる可視光領域の光を発光するＬＥＤ素子の駆動信号と赤外線ＬＥＤ素子の駆動信号の一例を示す図である。
【００８６】
図示されているように、可視光領域の光を発光するＬＥＤ素子の駆動信号と赤外線ＬＥＤ素子の駆動信号とは、同タイミングにおいて異なるように点滅するようになっている。
【００８７】
このような看板型照明装置２０の場合においては、赤外線のみを受光できる受光装置を備えた設定値受信治具を用いる必要が生じるが、看板型照明装置２０をユーザが設定した設定値の特性で駆動させながら、その同タイミングでユーザにその設定値の値を認識させることができる。
【００８８】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
〔まとめ〕
本発明の態様１に係る看板照明装置は、表示物に光を照射する光照射部と、この光照射部の設定値を受け付ける設定値受付部と、上記設定値に基づいて上記光照射部を制御する制御部とを備えた看板照明装置であって、上記制御部は、光照射部に含まれる１つ以上の発光素子を、設定値発信期間に、上記設定値に応じたパターンで点滅させることによって、上記設定値を上記光照射部を介して外部に示す構成である。
【００８９】
上記構成によれば、上記看板照明装置に備えられた制御部によって、上記設定値を上記光照射部を介して外部に示すようになっている。
【００９０】
したがって、上記設定値を外部に示すための別途の表示部を設ける必要がない。また、上記看板照明装置の背面などに設けた端子を経由して上記設定値を取得する必要がないので、上記端子にアプローチするために、上記看板照明装置の分解など大掛りな工事を要しない。
【００９１】
よって、上記構成によれば、追加構成や大掛りな工事などを必要とせず、上記光照射部の設定値を定量的に管理できる看板照明装置を実現することができる。
【００９２】
以上のように、上記構成によれば、上記光照射部の設定値を定量的に管理できるので、上記光照射部の設定値と上記光照射部の動作状態との対応を容易に取ることができる。
【００９３】
したがって、看板照明装置が複数個存在する場合などにおいて、一括管理が容易になるとともに、各々の看板照明装置の特性のばらつきや経年劣化などの管理が容易となる。
【００９４】
また、上記構成によれば、上記光照射部の設定値と上記光照射部の動作状態との定量的な確認をほぼ同時に行うことができるとともに、上記看板照明装置から比較的遠く離れた箇所でも上記光照射部の設定値の確認を行うことができる。
【００９５】
本発明の態様２に係る看板照明装置において、上記制御部は、上記設定値に応じたパルス幅変調信号に基づいて光照射部を制御し、上記設定値発信期間での上記発光素子の点灯期間が、上記パルス幅変調信号の一周期に等しい構成であってもよい。
【００９６】
上記構成によれば、制御部の回路設計が比較的容易になる。
【００９７】
本発明の態様３に係る看板照明装置は、上記設定値発信期間での上記発光素子の点灯期間が、目視にて認識可能な長さであることが好ましい。
【００９８】
上記構成によれば、設定値受信治具などの別途の機器を用いることなく、上記看板照明装置を見ている人は、上記設定値を把握することができる。
【００９９】
本発明の態様４に係る看板照明装置において、上記制御部は、上記発光素子を、上記設定値に応じたパターンで点滅させる前に、発信開始を示すパターンで点滅させ、上記設定値に応じたパターンで点滅させた後に、発信終了を示すパターンで点滅させる構成であることが好ましい。
【０１００】
上記構成によれば、より精度高く上記設定値の検知をすることができる。
【０１０１】
本発明の態様５に係る看板照明装置において、上記発光素子は可視光または赤外線光を発する構成であってもよい。
【０１０２】
本発明の態様６に係る看板照明装置は、上記光照射部の設定値は、上記光照射部の明るさおよび／または色温度に関する設定値である構成であってもよい。
【０１０３】
本発明の態様７に係る看板照明装置において、上記設定値発信期間に、上記設定値を上記光照射部を介して外部に示す点滅パターンには、上記光照射部の設定値の種類を示すパターンが含まれている構成であることが好ましい。
【０１０４】
上記構成によれば、設定値の種類も検知することができる。
【０１０５】
本発明の態様８に係る看板照明装置においては、上記光照射部の所定の設定値の調整は、上記設定値受付部に備えられた入力部によって行われる構成であってもよい。
【０１０６】
本発明の態様９に係る看板照明装置においては、上記光照射部の所定の設定値の調整は、リモコンによって行われる構成であってもよい。
【０１０７】
本発明の態様１０に係る看板照明装置は、上記看板照明装置が複数個組み合わせられている構成であってもよい。
【産業上の利用可能性】
【０１０８】
本発明は、看板型照明装置に好適に用いることができる。
【符号の説明】
【０１０９】
１    看板型照明装置
１ａ  看板型照明装置
２    ユーザインターフェース（設定値受付部）
３    電源回路
４    制御部
５    プロセッサ（ＣＰＵ）
６    メモリ
７    バックライトドライバ
８    ＬＥＤバックライト
９    調整ダイアル
１０  調整キースイッチ
１１  リモコン受信部
１２  ＬＥＤドライバ
１３  赤外線ＬＥＤドライバ
１４  制御部
１５  赤外線ＬＥＤ素子を含むバックライト
１６  表示物
２０  看板型照明装置
３０  設定値受信治具
３１  受光装置
３２  情報処理装置
【図１】
2014192058.tif 000003
【図２】
2014192058.tif 000004
【図３】
2014192058.tif 000005
【図４】
2014192058.tif 000006
【図５】
2014192058.tif 000007
【図６】
2014192058.tif 000008
【図７】
2014192058.tif 000009
【図８】
2014192058.tif 000010
【図９】
2014192058.tif 000011
【図１０】
2014192058.tif 000012
【図１１】
2014192058.tif 000013